(57)【要約】【課題】  本発明は、蓄電池の試験装置に係り、蓄電池の試験を行うに当たり、電力用配線での電力ロスの低減を図る技術を提供することを目的とする。【解決手段】  支持台に取り付き、蓄電池に接続するための探針と、前記支持台に装着され、電力用配線を介して前記探針に接続される基板と、  前記基板にソケットを介して接続される入出力電圧直流＋60V以下、−60V以上の充放電用双方向DC-DCコンバータ，充電用DC-DCコンバータ，放電用DC-DCコンバータの少なくともいずれか１つを有することを特徴とする。【選択図】    図１
2014163743.tif 000002
【特許請求の範囲】
【請求項１】
支持台に取り付き、蓄電池に接続するための探針と、
前記支持台に装着され、電力用配線を介して前記探針に接続される基板と、
前記基板にソケットを介して接続される入出力電圧直流＋60V以下、−60V以上の充放電用双方向DC-DCコンバータ，充電用DC-DCコンバータ，放電用DC-DCコンバータの少なくともいずれか一つを有することを特徴とする蓄電池の試験装置。
【請求項２】
請求項１に記載の蓄電池の試験装置において、
前記支持台を上方に配置する基台と、
前記支持台と前記基台との間に設置された載置台と、
前記載置台上に載置され、上部が開口し、電極を上方に向けて蓄電池が並列して収容される収容部材と、
前記載置台または支持台の少なくともいずれか一方を移動させて、前記電極と前記探針とを接触させる駆動手段と、
を有することを特徴とする蓄電池の試験装置。
【請求項３】
請求項１または請求項２に記載の蓄電池の試験装置において、
前記基板，前記充放電用双方向DC-DCコンバータ，前記充電用DC-DCコンバータ及び前記放電用DC-DCコンバータは、冷却手段を有することを特徴とする蓄電池の試験装置。
【請求項４】
請求項３に記載の蓄電池の試験装置において、
前記冷却手段は、前記基板に沿って配管され、外部から流入した冷却水で前記基板を冷却する冷却水路と、
前記充放電用双方向DC-DCコンバータ，前記充電用DC-DCコンバータ及び前記放電用DC-DCコンバータに装着された冷却水路とを有し、
前記充放電用双方向DC-DCコンバータ，前記充電用DC-DCコンバータ及び前記放電用DC-DCコンバータの冷却水路は、前記基板への前記充放電用双方向DC-DCコンバータ，前記充電用DC-DCコンバータ及び前記放電用DC-DCコンバータの接続時に、基板側の冷却水路に接続されることを特徴とする蓄電池の試験装置。
【請求項５】
請求項１または請求項２に記載の蓄電池の試験装置において、
前記基板は冷却手段を有し、前記充放電用双方向DC-DCコンバータ，前記充電用DC-DCコンバータ及び前記放電用DC-DCコンバータは、熱伝導の媒体を介して前記基板に接続されることを特徴とする蓄電池の試験装置。
【請求項６】
請求項５に記載の蓄電池の試験装置において、
前記冷却手段は、前記基板に沿って配管され、外部から流入した冷却水で前記基板を冷却する冷却水路であることを特徴とする蓄電池の試験装置。
【請求項７】
請求項３に記載の蓄電池の試験装置において、
前記充放電用双方向DC-DCコンバータ，前記充電用DC-DCコンバータ及び前記放電用DC-DCコンバータは、空冷式の冷却手段を有することを特徴とする蓄電池の試験装置。
【請求項８】
請求項７に記載の充放電試験装置において、
記空冷式の冷却手段は、前記充放電用双方向DC-DCコンバータ，前記充電用DC-DCコンバータ及び前記放電用DC-DCコンバータに取り付く放熱器であることを特徴とする蓄電池の試験装置。
【発明の詳細な説明】
【技術分野】
【０００１】
本発明は、２次電池やキャパシタ等の蓄電池の試験装置に関する。
【背景技術】
【０００２】
昨今、電気自動車や携帯電話等にリチウムイオン２次電池等が使用され、２次電池の需要が伸びている。また、近年、電気二重層の現象の原理を応用したキャパシタが開発されて製品化されており、電気自動車の電源あるいは一般の商用電力の貯蔵への適用について、キャパシタを応用することが考えられている（例えば、特許文献１参照）。
【０００３】
そして、研究開発された２次電池やキャパシタ等の蓄電池の性能を評価し、安全を評価するために充放電試験を行う充放電試験装置では、充放電用のコンバータ等の電源と蓄電池との間に電力用配線（ケーブル）が接続されている（例えば、特許文献２参照）。
【先行技術文献】
【特許文献】
【０００４】
【特許文献１】特開２０１０−１８２９３０号公報
【特許文献２】特開２００４−２８２８９４号公報
【発明の概要】
【発明が解決しようとする課題】
【０００５】
しかし、大電流で２次電池やキャパシタ等の蓄電池を充放電する場合、充放電用のコンバータ等の電源が蓄電池から離間した場所に配置されることが多い。このため、電源と蓄電池との間に接続された電力用配線での電力ロスが問題となっており、電力ロスを見込んで大きなコンバータを用いること等が行われている。
【０００６】
本件開示の蓄電池の試験装置は、蓄電池の試験を行うに当たり、電力用配線での電力ロスの低減を図る技術を提供することを目的とする。
【課題を解決するための手段】
【０００７】
一つの観点による蓄電池の試験装置は、支持台に取り付き、蓄電池に接続するための探針と、前記支持台に装着され、電力用配線を介して前記探針に接続される基板と、前記基板にソケットを介して接続される入出力電圧直流＋60V以下、−60V以上の充放電用双方向DC-DCコンバータ，充電用DC-DCコンバータ，放電用DC-DCコンバータの少なくともいずれか１つを有することを特徴とする。
【発明の効果】
【０００８】
本件開示の蓄電池の試験装置によれば、蓄電池の試験を行うに当たり、電力用配線での電力ロスの低減が可能となる。
【図面の簡単な説明】
【０００９】
【図１】試験装置の一実施形態の斜視図である。
【図２】図１に示した試験装置の側面図である。
【図３】図１に示した試験装置の正面図である。
【図４】図１に示した試験装置の載置台が上昇した状態を示す試験装置の側面図である。
【図５】図１に示した試験装置の載置台に載置されるマガジンの全体斜視図である。
【図６】図５に示したマガジンの側面図である。
【図７】図５に示したマガジンの平面図である。
【図８】図１に示した試験装置の平面図である。
【図９】図１に示した試験装置の支持台に装着される電源部の斜視図である。
【図１０】図９に示した電源部の側面図である。
【図１１】図９に示した電源部の平面図である。
【図１２】図９に示した電源部の背面図である。
【図１３】図９に示した電源部に使用されるヒートシンクの斜視図である。
【図１４】図９に示した電源部に使用されるヒートシンクの正面図である。
【図１５】図９に示した電源部に使用されるヒートシンクの側面図である。
【図１６】ケーシング本体から蓋体を取り外した図９に示す電源部の斜視図である。
【図１７】図１６に示した電源部の平面図である。
【図１８】図１６に示した電源部の側面図である。
【図１９】図１６に示した電源部の正面図である。
【図２０】図１に示す試験装置の回路ブロック図である。
【発明を実施するための形態】
【００１０】
以下、図面を用いて実施形態を説明する。
【００１１】
図１は試験装置の一実施形態の斜視図である。図２は図１に示した試験装置の側面図、図３は図１に示した試験装置の正面図、図４は図１に示した試験装置の載置台が上昇した状態を示す試験装置の側面図を示している。
【００１２】
図１乃至図４において、１は試験装置３の基台、５は基台１上に立設された４本の支柱を示す。支柱５は一例として円柱状であり、基台１の前側に２本、基台１の後側に２本ずつ取付ブラケット７を介して基台１に取り付けられている。
【００１３】
図１に示すように取付ブラケット７は、一例として基台１上に取り付く平板状の台座９と、台座９に一体形成された円筒状の取付筒１１とで構成され、取付筒１１に支柱５の下端が挿着されている。尚、基台１は、四隅が斜めに切り欠かれた平面から見て略矩形状に形成されている。
【００１４】
基台１の上方には、４本の支柱５が挿通する載置台１３が、後述するガイド部材２３を介して基台１と平行に配置されている。そして、載置台１３を挿通した４本の支柱５の先端に、支持台１５が取付ブラケット１７を介して載置台１３と平行に固着されている。尚、図１に示すように載置台１３は板状であり、基台１と略同一形状を有する。図３に示すように支持台１５は板状であり、載置台１３よりも幅寸法（図３の図面の左右方向の幅寸法）が短寸である。
【００１５】
図２に示すように取付ブラケット１７は、支持台１５の裏面側に取り付く一例として平板状の台座１９と、台座１９に一体形成された円筒状の取付筒２１とを有し、取付筒２１に支柱５の上端が挿着されている。
【００１６】
更に、図１に示すように載置台１３には、支柱５が挿通する４個のガイド部材２３が装着されており、ガイド部材２３は、載置台１３上に取り付く一例としてリング状の台座２５と、台座２５に一体形成された円筒状の取付筒２７とを有している。そして、取付筒２７を支柱５が挿通し、図示しないが載置台１３には取付筒２７と中心軸を同じくして支柱５が挿通する挿通孔が設けられている。
【００１７】
図２乃至図４に示すように基台１の表面の中央にはエアシリンダ２９が装着されており、図４の如くエアシリンダ２９のピストンロッド３１が載置台１３の裏面の中央に連結されている。そして、図２のピストンロッド３１が縮退した状態で、図４の如くピストンロッド３１が上方へ伸長されると、ガイド部材２３を挿通する支柱５に沿って載置台１３が上方へ移動するようになっている。
【００１８】
尚、本実施形態では、斯様にエアシリンダ２９によって載置台１３を上方へ移動させる構造としたが、他の駆動手段で支持台１５を降下させるようにしてもよい。
【００１９】
図１乃至図４に示すように載置台１３上には、一対の細長い角柱形状を有するガイド部材３３が、載置台１３の前後方向（図２の図面の左右方向）に亘って互いに平行に取り付けられている。そして、２本のガイド部材３３の間に、多数の２次電池３５が収容された樹脂製のマガジン３７が配置されている。
【００２０】
図５は図１に示した試験装置３の載置台１３に配置されるマガジン３７の斜視図、図６は図５に示したマガジン３７の側面図、図７は図５に示したマガジン３７の平面図を示している。
【００２１】
図５乃至図７に示すようにマガジン３７は、正極と負極の一対の電極３９，４１を上方へ突出させて、例えば８個の２次電池３５が収容部４３の長手方向に並列して収容される矩形の箱状のボックス部材で、収容部４３は上部が開口している。尚、２次電池３５は肉薄な矩形形状をなし、２次電池３５の１側面から一対の電極３９，４１が一方向に突出している。
【００２２】
図７に示すように収容部４３の底部には、収容部４３の前後の側壁４５と平行に多数の仕切壁４７が収容部４３の長手方向に亘って等間隔に突設されている。更に、仕切壁４７と仕切壁４７との間、そして、仕切壁４７と側壁４５との間の収容部４３の左右の側壁４９には、それぞれ２次電池３５を上下方向に案内する凹状のガイド溝５１が設けられている。
【００２３】
従って、収容部４３の上方から仕切壁４７と仕切壁４７との間のガイド溝５１，仕切壁４７と側壁４５との間のガイド溝５１に２次電池３５が縦方向に挿入されることで、電極３９，４１を上方に突出させて２次電池３５が並列してマガジン３７に収容される。
【００２４】
このように多数の２次電池３５が並列して収容されたマガジン３７は、図１の矢印で示すように、試験装置３の正面側から一対のガイド部材３３間に挿入されて載置台１３上に載置される。尚、図示しないが載置台１３には、ガイド部材３３の間に挿入されたマガジン３７を所定の位置に位置決めするストッパが設けられている。
【００２５】
図８は図１に示した試験装置３の平面図を示している。また、図９は図１に示した試験装置３の支持台１５に装着される電源部の斜視図、図１０は図９に示した電源部の側面図、図１１は図９に示した電源部の平面図、図１２は図９に示した電源部の背面図を示す。
【００２６】
図８において、５３は図１の試験装置３の支持台１５上に取り付く２つの電源部、５５は電源部５３のケーシングを示している。
【００２７】
図９乃至図１２に示すようにケーシング５５は、一例として２次電池３５よりも肉厚，幅狭で、上部が開口する長尺なボックス状のケーシング本体５５ａと、ケーシング本体５５ａの上部の開口部を覆う蓋体５５ｂとで構成されている。
【００２８】
図１，図８の如く一方の電源部５３のケーシング５５は、支持台１５の左側の端部（図８の図面の支持台１５の上部）にブラケット（図示せず）で固定され、ケーシング５５は、試験装置３の左側の側方から支持台１５へと下方へ傾斜して固着されている。同様に、他方の電源部５３のケーシング５５は、支持台１５の右側の端部（図８の図面の支持台１５の下部）にブラケット（図示せず）を介して固定され、ケーシング５５は、試験装置３の右側の側方から支持台１５へと下方へ傾斜して固着されている。
【００２９】
２個のケーシング５５はこのように支持台１５に固着されており、図３に示すように試験装置３の正面側（図１の矢印側）から見て、２個の電源部５３は支持台１５上に略Ｖ字状に配置されている。
【００３０】
図９に示すようにケーシング５５の蓋体５５ｂには、蓋体５５ｂの長手方向と直交する方向に、マガジン３７に収容される８個の２次電池３５に対応して８個のスロット５７が等間隔に設けられている。そして、各スロット５７に、入出力される直流電圧が例えば＋60V以下、−60V以上の充放電用の双方向DC-DCコンバータ（Direct Current-to-Direct Current converter）５９，充電用のDC-DCコンバータ６１，放電用のDC-DCコンバータ６３の少なくともいずれか１つが挿入される。一例として本実施形態では、双方向DC-DCコンバータ５９，DC-DCコンバータ６１，６３は、それぞれ48Vの直流電圧を5Vの直流電圧（電流値25A）に変換する。以下の説明では、直流電圧はDC（Direct Current）とも称される。
【００３１】
例えば、双方向DC-DCコンバータ５９，DC-DCコンバータ６１，６３は分散型の電源システム用のオンボード電源モジュールであり、エッジコネクタ（ソケット）に挿抜される基板形状を有する小型化されたカードタイプの電源装置である。このため、安全電源として、双方向DC-DCコンバータ５９，DC-DCコンバータ６１，６３は入出力される直流電圧が例えば60V以下に設定されている。
【００３２】
ＵＬ（Underwriters Laboratories）規格、ＩＥＣ（International Electrotechnical Commission）規格等の安全規格は、60Vの直流電圧を超える電圧を危険電圧と規定し、厳格な絶縁処理を要求している。従って、逆にいえば60V以下の直流電圧であれば、絶縁処理を簡素化できる。
【００３３】
また、規格では、高電圧なほど、長い絶縁距離を要求している。従って、60Vを超える直流電圧を扱う回路では高密度が難しくなる。
【００３４】
そして、本実施形態では、後述するようにDC-DCコンバータ１１３からのDC48V入力を、双方向DC-DCコンバータ５９，DC-DCコンバータ６１，６３がDC5Vに降圧する構造となっているため、双方向DC-DCコンバータ５９等の高密度実装が可能となる。
【００３５】
而も、双方向DC-DCコンバータ５９等を非絶縁型とすることができるため、トランスが不要になるとともに、絶縁距離を短くできるため、マザーボード７７に高密度に実装することが可能となる。
【００３６】
そして、図８乃至図１２に示すように、双方向DC-DCコンバータ５９，DC-DCコンバータ６１，６３の基板（プリント基板）６５に、水冷式のヒートシンク６７が熱溶着されている。
【００３７】
図１３は図９に示した電源部５３に使用されるヒートシンク６７の斜視図、図１４は図９に示した電源部５３に使用されるヒートシンク６７の正面図、図１５は図９に示した電源部５３に使用されるヒートシンク６７の側面図を示している。
【００３８】
図１３乃至図１５に示すようにヒートシンク６７は、正面から見て略Ｔ字状の中空なアルミニウム製のブロック部材で、正面から見て矩形状の本体部６９と、本体部６９の左右の上部から側方へ突出するアーム部７１とを有している。一方のアーム部７１の下部に、冷却水の流入パイプ７３が本体部６９の側面に沿って取り付き、他方のアーム部７１の下部に、冷却水の流出パイプ７５が本体部６９の側面に沿って取り付けられている
従って、流入パイプ７３から流出パイプ７５に亘ってヒートシンク６７内に冷却水の冷却水路が構成される。
【００３９】
そして、図９の如く双方向DC-DCコンバータ５９等がスロット５７に挿入されて、ケーシング５５内の後述するマザーボードのソケットに電気的に接続されると、図１０の如く本体部６９の底部がケーシング５５の蓋体５５ｂの表面に当接するようになっている。
【００４０】
図１６はケーシング本体５５ａから蓋体５５ｂを取り外した図９に示す電源部５３の斜視図、図１７は図１６に示した電源部５３の平面図、図１８は図１６に示した電源部５３の側面図、図１９は図１６に示した電源部５３の正面図を示している。
【００４１】
図１６及び図１７において、７７はケーシング本体５５ａ内に装着されたマザーボードである。マザーボード７７は基板の一例である。図１７乃至図１９の如くマザーボード７７には図９のスロット５７に対応してソケット７９が複数装着されており、双方向DC-DCコンバータ５９やDC-DCコンバータ６１，６３の基板６５のコンタクト部がスロット５７に挿入されてソケット７９に電気的に接続される。
【００４２】
そして、図１６に示すようにマザーボード７７の裏面側には、マザーボード７７を冷却する冷却水路８１が平面から見て略Ｕ字状に配管されており、冷却水路８１は、ケーシング本体５５ａの背面側の側面に装着されたマルチコネクタ８３に接続されている。
【００４３】
図１２の如くマルチコネクタ８３には、出力端子８５や電圧検出用の端子８７，制御信号用の端子８９に加え、冷却水の流入用カプラ９１と流出用カプラ９３が装着され、流入用カプラ９１と流出用カプラ９３に冷却水路８１の図示しない流入口と流出口が接続される。そして、外部から配管（図示せず）が流入用カプラ９１と流出用カプラ９３に接続され、外部のポンプ（図示せず）から電源部５３へと圧送された冷却水が、冷却水路８１を流下してマザーボード７７を冷却する。
【００４４】
また、図１６に示すようにマザーボード７７には、図１７の各ソケット７９毎に一対の円形状の小穴９５が各ソケット７９の左右の斜め前方に設けられており、各小穴９５に、冷却水路８１に装着されたカプラ９７が上方へ突出している。更に、図９に示すように蓋体５５ｂにも、マザーボード７７の小穴９５に対応して小穴９５と同１径の円形状の小穴９９が設けられており、各小穴９９からカプラ９７が更に上方へ突出している。そして、図９の如く充放電用双方向DC-DCコンバータ５９をスロット５７に差し込んでソケット７９（図１８）に接続させると、ヒートシンク６７の流入パイプ７３と流出パイプ７５がカプラ９７に接続されて冷却水路８１とヒートシンク６７内の冷却水路が連通する。
【００４５】
このように、マザーボード７７側の冷却水路８１とヒートシンク６７内の冷却水路が連通すると、冷却水路８１に流入した冷却水の１部がヒートシンク６７内の冷却水路を流下して、充放電用双方向DC-DCコンバータ５９や充電用DC-DCコンバータ６１等が冷却される。
【００４６】
既述したように図１に示す試験装置３の載置台１３には、図５の如く収容部４３に最大８個の２次電池３５が収容されたマガジン３７が所定の位置に載置される。
【００４７】
そこで、図１，図２及び図８に示すように載置台１３の上方に位置する支持台１５には、マガジン３７側の２次電池３５の電極３９，４１（図３）に対応して、正極用及び負極用の８個宛の探針１０１がバネ１０３（図２）を介して弾性的に挿着されている。そして、図２の如く電極３９，４１と探針１０１が離間した状態で、図４の如くピストンロッド３１が上方へ伸長して載置台１３が上方へ所定量移動されると、電極３９，４１と探針１０１がそれぞれ１個宛接触するようになっている。
【００４８】
更に、各電源部５３のマザーボード７７には、隣接する２個宛のソケット７９が並列にパターン（図示せず）で接続され、各パターンに、図８に示す正極用の電源ケーブル１０５と負極用の電源ケーブル１０７が接続されている。電源ケーブル１０５，１０７は、電力用配線の一例である。
【００４９】
図１，図８に示すように本実施形態では、一例として支持台１５の左側（図８の支持台１５の上側）に挿着された８個の探針１０１に、マザーボード７７から正極用の電源ケーブル１０５がそれぞれ１本宛接続されている。同様に、支持台１５の右側（図８の支持台１５の下側）に挿着された８個の探針１０１に、マザーボード７７から負極用の電源ケーブル１０７がそれぞれ１本宛接続されている。
【００５０】
従って、図２，図３の如く載置台１３に２次電池３５が並列して収容されたマガジン３７を載置する際には、正極の探針１０１と負極の探針１０１に合わせて２次電池３５の正極の電極３９と負極の電極４１を配置する。
【００５１】
このように、試験装置３は、１個の２次電池３５に対して隣接する２個のスロット５７（図９）が使用できる。即ち、１個の２次電池３５に対して２個のスロット５７（図９）に、双方向DC-DCコンバータ５９，DC-DCコンバータ６１，６３が、仕様や用途に応じて取り付けることができるようになっている。
【００５２】
図２０は図１に示す試験装置３の回路ブロック図を示す。図２０は図１に示した試験装置３の一対の電源部５３の一方に、方向DC-DCコンバータ５９，DC-DCコンバータ６１，６３を単独で、或いはこれらを組み合わせて装着した一例を示している。尚、試験装置３の一対の電源部５３の他方側の回路ブロック図は省略する。
【００５３】
既述したように試験装置３は、マガジン３７に収容された１個宛の２次電池３５に対し、隣接する２個のスロット５７（図９）が使用できる。そこで、図２０では一例として、マガジン３７（図５）に収容された１個の２次電池３５-1に対し、１枚の双方向DC-DCコンバータ５９が電源部５３の１個のスロット５７（図９）に挿入されている。そして、マガジン３７（図５）に収容された他の２次電池３５-2に対し、１枚のDC-DCコンバータ６１が電源部５３の１個のスロット５７（図９）に挿入されている。
【００５４】
更に、マガジン３７（図５）に収容された２次電池３５-3，３５-4に対し、２次電池３５-3，３５-4に対応する２個のスロット５７（図９）毎に、それぞれDC-DCコンバータ６１とDC-DCコンバータ６３が挿入されている。
【００５５】
次に、図２０の回路ブロック図の電気的な接続状態を説明する。主電源からの電源配線（図示せず）は回生インバータ１０９の入力端子に接続されている。例えば、回生インバータ１０９は主電源からの200Vの交流電圧をDC340Vに変換し、変換したDC340Vを出力端子から出力する。以下の説明では、交流電圧は  AC（Alternating Current）とも称される。
【００５６】
回生インバータ１０９の出力端子は電源配線１１１を介して双方向DC-DCコンバータ１１３の入力端子に接続されている。DC-DCコンバータ１１３は、回生インバータ１０９から受けるDC340VをDC48Vに降圧し、出力端子から出力する。そして、DC-DCコンバータ１１３の出力端子は、電源配線１１５を介して電源部５３のマルチコネクタ８３（図８）に接続されている。
【００５７】
そして、電源部５３に装着された双方向DC-DCコンバータ５９，DC-DCコンバータ６１，６３が、DC48V入力を充放電試験用のDC5Vに降圧して、１個当たり探針１０１（２次電池３５側）へDC5V，25Aで出力するようになっている。
【００５８】
本実施形態に係る試験装置３はこのような構造を有しており、２次電池３５の試験を行うに当たり、先ず、図５の如く２次電池３５がマガジン３７に並列して収容される。そして、２次電池３５が収容されたマガジン３７が、図１の矢印方向から図２の如く試験装置３の載置台１３に載置される。
【００５９】
一方、試験の仕様や用途に応じ、図２０の如く２個のスロット５７（図９）毎に、１個の２次電池３５に対し最大で２枚の双方向DC-DCコンバータ５９，DC-DCコンバータ６１，６３が適宜挿入される。また、これに伴い、図９の如く、双方向DC-DCコンバータ５９等に取り付くヒートシンク６７の流入パイプ７３と流出パイプ７５がカプラ９７に接続されて、マザーボード７７側の冷却水路８１とヒートシンク６７内の冷却水路が連通する。
【００６０】
この後、図２０の如くDC-DCコンバータ１１３からの電源配線１１５が電源部５３のマルチコネクタ８３（図８）に接続され、また、マルチコネクタ８３に外部からの図示しない冷却水用の配管が接続される。
【００６１】
そして、図２の如く電極３９，４１と探針１０１が離間した状態で、図４の如くピストンロッド３１が上方へ伸長して載置台１３が上方へ所定量移動すると、２次電池３５の電極３９，４１と探針１０１がそれぞれ１個宛接触する。
【００６２】
この後、主電源の電源が入れられると、主電源からのAC200Vが回生インバータ１０９でDC340Vに変換され、DC-DCコンバータ１１３でDC340VがDC48Vに降圧される。そして、電源部５３に装着された双方向DC-DCコンバータ５９，DC-DCコンバータ６１，６３が、DC48V入力を充放電試験用のDC5Vに降圧し、１個当たり探針１０１（２次電池３５側）へDC5V，25Aで出力される。
【００６３】
図２０に示すように本実施形態では、例えば２次電池３５-1に対して１枚の充放電用双方向DC-DCコンバータ５９が１個のスロット５７（図９）に挿入され、２次電池３５-2に対して１枚の充電用DC-DCコンバータ６１が１個のスロット５７（図９）に挿入されている。このため、双方向DC-DCコンバータ５９，DC-DCコンバータ６１から２次電池３５-1，２次電池３５-2に対してそれぞれDC5V，25Aが出力される。
【００６４】
一方、２次電池３５-3，３５-4に対して、２個のスロット５７（図９）にDC-DCコンバータ６１とDC-DCコンバータ６３の２枚が挿入されている。このため、２次電池３５-3，３５-4にはDC-DCコンバータ６１とDC-DCコンバータ６３から、それぞれDC5V，50Aが出力される。
【００６５】
そして、既述したように１枚のDC-DCコンバータ６１が１個のスロット５７（図９）に挿入されて２次電池３５-2にDC5V，25Aが出力されている。しかし、例えば客先の要望に応じて２次電池３５-2にDC5V，50A出力を要することとなった場合には、残りのスロット５７（図９）に１枚の充電用DC-DCコンバータ６１を追加して挿入すればよい。これにより、２枚のDC-DCコンバータ６１を使用してDC5V，50Aを出力することが可能となる。
【００６６】
更に、電源部５３の各スロット５７（図９）に、双方向DC-DCコンバータ５９，DC-DCコンバータ６１，６３を単独、或いはこれらを組み合わせて２枚使用することで、様々な試験の仕様や用途の変化に対応することが可能となる。
【００６７】
そして、外部のポンプ（図示せず）が作動されて電源部５３へと冷却水が圧送されると、冷却水が冷却水路８１を流下してマザーボード７７が冷却されるとともに、ヒートシンク６７内の冷却水路を冷却水が流下して充放電用双方向DC-DCコンバータ５９等が冷却される。
【００６８】
このように図１の試験装置３は、探針１０１の直近の支持台１５上に、双方向DC-DCコンバータ５９等を用いた電源部５３を装着したため、電源が２次電池から離間した場所に配置されていた従来に比し、電源ケーブル１０５，１０７を短くすることができる。
【００６９】
而も、斯様に電源ケーブル１０５，１０７を短くすることができる結果、電源ケーブル１０５，１０７の取り回しが容易となるため、従来に比し電源ケーブル１０５，１０７を太くすることができる。
【００７０】
従って、本実施形態に係る試験装置３によれば、２次電池３５の試験を行うに当たり、電源ケーブル１０５，１０７での電力ロスが低減できるとともに、インダクタンスが低減できるので、従来に比し応答速度が速くなる利点を有する。
【００７１】
そして、斯様な電力ロスの低減は、図２０に示すように電源部５３でDC48VがDC5Vに降圧されて、双方向DC-DCコンバータ５９やDC-DCコンバータ６１等から１個当たりDC5V，25Aで探針１０１（２次電池３５-1等）へ出力されることからも理解される。
【００７２】
即ち、電圧が下がればその分電流が増えることから、電源部５３でDC48V入力をDC5Vに降圧して、双方向DC-DCコンバータ５９等から１個当たりDC5V，25Aが出力されるということは、DC-DCコンバータ１１３から電源部５３への電流の入力が2．5Aで足りることとなる。
【００７３】
このことは、充放電用の電源から探針に25Aを入力させていた従来構造に比し、本実施形態では、充放電用双方向DC-DCコンバータ５９等を用いた電源部５３へ2．5Aで配線できるため、従来に比し電力ロスが低減できるのである。
【００７４】
そして、双方向DC-DCコンバータ５９，DC-DCコンバータ６１等の基板６５を用いた小型化されたカードタイプの電源装置の採用によって、試験装置３の小型化が図れるとともに、充電用，放電用の組み合わせが自由で冗長構成も可能となる。
【００７５】
また、既述したように双方向DC-DCコンバータ５９，DC-DCコンバータ６１，６３を非絶縁型とすることができることで絶縁距離を短くすることができるため、双方向DC-DCコンバータ５９，DC-DCコンバータ６１，６３を高密度に実装することが可能となる。
【００７６】
更に、マザーボード７７や双方向DC-DCコンバータ５９等が冷却水によって冷却されるため、電源部５３の信頼性を向上でき、長期に亘って電源部５３の良好な使用が可能となる。
【００７７】
尚、図１乃至図２０の試験装置３では、双方向DC-DCコンバータ５９やDC-DCコンバータ６１等を冷却する手段として、図１３に示すヒートシンク６７を用いた水冷式の冷却手段を採用したが、斯かる冷却手段に代えて空冷式の冷却手段を用いてもよい。
【００７８】
例えば、図１３のヒートシンク６７に冷却水を流さず流入パイプ７３と流出パイプ７５を省略し、例えばアルミニウム製のヒートシンクを双方向DC-DCコンバータ５９等の基板６５に熱溶着させて、ヒートシンクを空冷式の放熱器として機能させてもよい。
【００７９】
更に、双方向DC-DCコンバータ５９等を冷却する手段として、図示しないが図１３のヒートシンク６７のアーム部７１をマザーボード７７と当接するように下方へ延設し、ヒートシンクをマザーボード７７への熱伝導の媒体として機能させてもよい。
【００８０】
また、前記試験装置３は試験対象に２次電池を使用したが、試験対象としてキャパシタも使用できることは勿論である。
【００８１】
更に、前記試験装置３では、図５に示すようにマガジン３７の収容部４３に最大８個の２次電池３５を収容可能としたが、２次電池の最大収容数はこれに限定されるものではなく、マガジンの構造も前記実施形態に限定されるものではない。
【００８２】
更にまた、前記試験装置３は、１個の２次電池３５に対して隣接する２個のスロット５７を使用可能としたが、１個の２次電池に対し２以上のスロットを電源部に設けて、試験の仕様や用途に応じ、２枚以上のDC-DCコンバータ６１等をスロットに挿入させてもよい。
【００８３】
以上の詳細な説明により、実施形態の特徴点及び利点が明らかになるであろう。これは、特許請求の範囲がその精神及び権利範囲を逸脱しない範囲で前述のような実施形態の特徴点及び利点にまで及ぶことを意図するものである。また、当該技術分野において通常の知識を有する者であれば、あらゆる改良及び変更に容易に想到できるはずである。従って、発明性を有する実施形態の範囲を前述したものに限定する意図はなく、実施形態に開示された範囲に含まれる適当な改良及び均等物に拠ることも可能である。
【符号の説明】
【００８４】
１・・・基台；３・・・試験装置；５・・・支柱；７，１７・・・取付ブラケット；１３・・・載置台；１５・・・支持台；２３・・・ガイド部材；２９・・・エアシリンダ；３１・・・ピストンロッド；３３・・・ガイド部材；３５・・・２次電池；３７・・・マガジン；３９，４１・・・電極；４３・・・収容部；４７・・・仕切壁；５１・・・ガイド溝；５３・・・電源部；５５・・・ケーシング；５７・・・スロット；５９・・・双方向DC-DCコンバータ；６１，６３・・・DC-DCコンバータ；６５・・・基板；６７・・・ヒートシンク；７３・・・流入パイプ；７５・・・流出パイプ；７７・・・マザーボード；７９・・・ソケット；８１・・・冷却水路；８３・・・マルチコネクタ；９１・・・流入用カプラ；９３・・・流出用カプラ；９７・・・カプラ；１０１・・・探針；１０３・・・バネ；１０５，１０７・・・電源ケーブル；１０９・・・回生インバータ；１１１，１１５・・電源配線；１１３・・・双方向DC-DCコンバータ
【図１】
2014163743.tif 000003
【図２】
2014163743.tif 000004
【図３】
2014163743.tif 000005
【図４】
2014163743.tif 000006
【図５】
2014163743.tif 000007
【図６】
2014163743.tif 000008
【図７】
2014163743.tif 000009
【図８】
2014163743.tif 000010
【図９】
2014163743.tif 000011
【図１０】
2014163743.tif 000012
【図１１】
2014163743.tif 000013
【図１２】
2014163743.tif 000014
【図１３】
2014163743.tif 000015
【図１４】
2014163743.tif 000016
【図１５】
2014163743.tif 000017
【図１６】
2014163743.tif 000018
【図１７】
2014163743.tif 000019
【図１８】
2014163743.tif 000020
【図１９】
2014163743.tif 000021
【図２０】
2014163743.tif 000022